(57)【要約】【課題】折り畳んだ状態での搬入や容易且つ迅速な組み立てが可能であり、組み立て状態を安定して維持できる自立型広告表示体を提供する。【解決手段】広告表示体１００は、第１側板１ａ及び第２側板１ｂの側端部が連結された筒状体３０と、筒状体３０の内部に橋渡し状に固定される保持部材４０と、筒状体３０の下端部に固定された底面部５０と、筒状体３０の下端部に固定された天面部６０と、を有し、筒状体３０が保持部材４０と共に平坦状に折り畳まれ、底面板１０及び天面板２０が折り線Ｌ９、Ｌ１０に沿って二つ折りとなる第１の状態と、輪ゴム３１、３３、３５の付勢力によって保持部材４０の形状が復元し、底面板１０及び天面板２０が平板状に展長されることにより第１側板１ａ、１ｂが内側から押圧されて筒状体３０が断面凸レンズ状に展開される第２の状態と、に変形可能である。【選択図】図１８
2015145942.tif 000002
【特許請求の範囲】
【請求項１】
対向配置される第１側板と第２側板の側端部が連結された筒状体と、
該筒状体の内側に橋渡し状に固定される伸縮可能な角筒状部と、該角筒状部を前記第１側板及び前記第２側板を内側から押圧する方向に付勢する第１弾性部材と、を有する保持部材と、
前記筒状体の下端部に橋渡し状に固定され、中央に前記第１側板及び前記第２側板に平行な第１折り線が形成された底面板と、該底面板を平板状に展開する方向に付勢する第２弾性部材と、を有する底面部と、
前記筒状体の上端部に橋渡し状に固定され、中央に前記第１側板及び前記第２側板に平行な第２折り線が形成された天面板と、該天面板を平板状に展開する方向に付勢する第３弾性部材と、を有する天面部と、
を備え、
前記第１側板及び前記第２側板を外側から押圧することにより前記筒状体が前記保持部材と共に平坦状に折り畳まれ、前記底面板及び前記天面板が前記第１折り線及び前記第２折り線に沿って二つ折りとなる第１の状態と、
前記保持部材が立体形状に復元することにより前記第１側板及び前記第２側板が内側から押圧されて前記筒状体の略中央部が断面凸レンズ状に展長され、前記底面板及び前記天面板が平板状に展開されることにより前記筒状体の両端部が断面凸レンズ状に展長される第２の状態と、
に変形可能であり、
前記第１の状態に保持する外力を除去したとき、前記第１乃至第３弾性部材の付勢力によって前記第２の状態に変形することを特徴とする自立型広告表示体。
【請求項２】
前記角筒状部は、対向する二面が前記第１側板及び前記第２側板の内側に固定される断面六角形状であり、前記第１側板及び前記第２側板と平行な方向に対向する前記角筒状部の稜部に形成される第１係止部を有し、
前記第１弾性部材は、前記第１係止部に架け渡されることで前記角筒状部を前記稜部が近接する方向に付勢することを特徴とする請求項１に記載の自立型広告表示体。
【請求項３】
前記底面板は、
前記第１折り線と交差するように形成された一対のフラップと、
該一対のフラップにそれぞれ形成され、前記第２弾性部材が架け渡される一対の第２係止部と、を有し、
前記第２弾性部材は、前記各フラップが前記底面板から起立するとともに前記底面板が平板状に伸長する方向に付勢力を作用させ、前記底面板が前記第１折り線に沿って二つ折りにされたとき、前記各フラップの倒伏によって前記第２弾性部材が伸長されて付勢力が蓄積されることを特徴とする請求項１又は請求項２に記載の自立型広告表示体。
【請求項４】
前記天面部は、
前記第２折り線と交差する方向に前記第３弾性部材が架け渡される一対の第３係止部が形成された前記天面板と、
該天面板の裏面に前記第２折り線を挟んで一方の領域に重なる部分のみが固定され、前記第２折り線を挟んで他方の領域に突出する補助板と、を有し、
前記第３弾性部材は、前記天面板が前記第２折り線に沿って裏面側に折れ曲がる方向に付勢力を作用させることで前記天面板が前記補助板に沿って平板状に保持されるとともに、前記天面板が前記第２折り線に沿って裏面側に二つ折りにされたとき、前記補助板の回動によって前記第３弾性部材が伸長されて付勢力が蓄積されることを特徴とする請求項１乃至請求項３のいずれかに記載の自立型広告表示体。
【請求項５】
前記筒状体の上下方向の略中央部には前記筒状体を全周に亘って横断する第３折り線が形成されており、前記保持部材は前記第３折り線の直近であって前記第３折り線と重ならない位置に固定されることを特徴とする請求項１乃至請求項４のいずれかに記載の自立型広告表示体。
【請求項６】
前記底面板は、前記第２の状態において前記筒状体の周方向外側に鍔状に突出することを特徴とする請求項１乃至請求項５のいずれかに記載の自立型広告表示体。
【請求項７】
前記筒状体は、前記筒状体の下半分を構成する下側板と、該下側板の上端縁に接着される上側板と、前記下側板及び前記上側板の側端縁に折り線を介して連設される接着片と、を有する同一形状の前記第１側板及び前記第２側板を組み合わせて形成されることを特徴とする請求項１乃至請求項６のいずれかに記載の自立型広告表示体。
【請求項８】
対向配置される第１側板と第２側板の側端部が連結された筒状体と、
該筒状体の内側に対向する二面が橋渡し状に固定される断面六角形状の伸縮可能な角筒状部と、該角筒状部の前記第１側板及び前記第２側板と平行方向に対向する稜部に形成された一対の第１係止部と、該第１係止部に架け渡され前記稜部が近接する方向に付勢する第１弾性部材と、を有する保持部材と、
前記筒状体の下端部において前記第１側板及び前記第２側板に橋渡し状に固定され、中央に前記第１側板及び前記第２側板に平行な第１折り線が形成された底面板と、該底面板の前記第１折り線と交差する方向に形成された一対のフラップと、該一対のフラップにそれぞれ形成され、前記第２弾性部材が架け渡される一対の第２係止部と、該第２係止部に架け渡され前記底面板が平板状に伸長する方向に付勢する第２弾性部材と、を有する底面部と、
前記筒状体の上端部において前記第１側板及び前記第２側板に橋渡し状に固定され、中央に前記第１側板及び前記第２側板に平行な第２折り線と、該第２折り線と交差する方向に形成された一対の第３係止部と、が形成された天面板と、該天面板の裏面に前記第２折り線を挟んで一方の領域に重なる部分のみが固定され、前記第２折り線を挟んで他方の領域に突出する補助板と、前記第３係止部に架け渡され前記天面板が前記補助板に沿って平板状に伸長する方向に付勢する第３弾性部材と、を有する天面部と、
を備え、
前記第１側板及び前記第２側板を外側から押圧することにより前記角筒状部が前記第１弾性部材の付勢力に抗して変形し、前記筒状体が前記保持部材と共に平坦状に折り畳まれ、前記底面板及び前記天面板が前記第１折り線及び前記第２折り線に沿って二つ折りとなる第１の状態と、
前記第１弾性部材の付勢力によって前記角筒状部の前記稜部が近接して前記保持部材の形状が復元し、前記第１側板及び前記第２側板が内側から押圧されることにより前記筒状体の略中央部が断面凸レンズ状に展長され、前記第２及び第３弾性部材の付勢力によって前記底面板及び前記天面板が平板状に展開されることにより前記筒状体の両端部が断面凸レンズ状に展長される第２の状態と、
に変形可能であり、
前記第１の状態に保持する外力を除去したとき、前記第１乃至第３弾性部材の付勢力によって前記第２の状態に変形することを特徴とする自立型広告表示体。
【発明の詳細な説明】
【技術分野】
【０００１】
本発明は、商品等の広告を表示する筒状体をコンパクトに折り畳み可能であり、設置場所で容易に自立可能な状態に組み立てられる自立型広告表示体に関するものである。
【背景技術】
【０００２】
従来、スーパーマーケットやドラッグストア等の店舗やショールームにおいて新商品の販促キャンペーンを行う場合、顧客に対し、その商品をいかに目立たせて強く印象付けるかが商品の購買チャンスを高めることにつながる。このように、顧客に商品を印象付ける手段として、商品に関する情報を表示したポスターやカード等の広告媒体が取り付けられた自立型の広告表示体（ＰＯＰ；ポップ広告）を配置するのが効果的である。
【０００３】
このような自立型広告表示体に共通する課題として、組み立て前はコンパクトに折り畳んで設置場所への搬入を容易にするとともに、設置場所へ搬入された後は容易に且つ迅速に組み立て可能とすることが挙げられる。例えば、特許文献１には、筒状体の両側端に断面Ｖ形状の板バネを設置し、板バネが筒状体の表板と裏板を外向きに円弧状に押し広げることで組み立てられる展示用表示体が開示されている。
【０００４】
また、特許文献２、３には、筒状体の内部に伸縮可能な保持体を配置し、保持体に付設された弾性部材の付勢力によって保持体が筒状体を外向きに押し広げて拡張状態に保持することにより自立可能となる展示用表示体が開示されている。
【先行技術文献】
【特許文献】
【０００５】
【特許文献１】特許第４０７３３６９号公報
【特許文献２】特許第４９１４４７０号公報
【特許文献３】実用新案第３１６４７７４号公報
【発明の概要】
【発明が解決しようとする課題】
【０００６】
しかしながら、特許文献１に記載の展示用表示体では、筒状体の幅方向中央部において筒状体を保持する部材がないため、筒状体の幅方向中央部が安定して拡張されなかったり、組み立て後に筒状体の幅方向中央部が撓んだりするという問題点があった。また、特許文献２、３に記載の展示用表示体では、筒状体の長手方向（上下方向）の両端部を拡張する部材がないため、筒状体が上下方向に長い場合は下端部から上端部まで安定して拡張されないおそれがあった。
【０００７】
本発明は、上記問題点に鑑み、折り畳んだ状態での搬入や容易且つ迅速な組み立てが可能であり、組み立て状態を安定して維持できる自立型広告表示体を提供することを目的としている。
【課題を解決するための手段】
【０００８】
上記目的を達成するために本発明は、対向配置される第１側板と第２側板の側端部が連結された筒状体と、該筒状体の内側に橋渡し状に固定される伸縮可能な角筒状部と、該角筒状部を前記第１側板及び前記第２側板を内側から押圧する方向に付勢する第１弾性部材と、を有する保持部材と、前記筒状体の下端部に橋渡し状に固定され、中央に前記第１側板及び前記第２側板に平行な第１折り線が形成された底面板と、該底面板を平坦状に展開する方向に付勢する第２弾性部材と、を有する底面部と、前記筒状体の上端部に橋渡し状に固定され、中央に前記第１側板及び前記第２側板に平行な第２折り線が形成された天面板と、該天面板を平坦状に展開する方向に付勢する第３弾性部材と、を有する天面部と、
を備え、前記第１側板及び前記第２側板を外側から押圧することにより前記筒状体が前記保持部材と共に平坦状に折り畳まれ、前記底面板及び前記天面板が前記第１折り線及び前記第２折り線に沿って二つ折りとなる第１の状態と、前記保持部材が立体形状に復元することにより前記第１側板及び前記第２側板が内側から押圧されて前記筒状体の略中央部が断面凸レンズ状に展長され、前記底面板及び前記天面板が平板状に展開されることにより前記筒状体の両端部が断面凸レンズ状に展長される第２の状態と、に変形可能であり、前記第１の状態に保持する外力を除去したとき、前記第１乃至第３弾性部材の付勢力によって前記第２の状態に変形することを特徴とする自立型広告表示体である。
【０００９】
また本発明は、上記構成の自立型広告表示体において、前記角筒状部は、対向する二面が前記第１側板及び前記第２側板の内側に固定される断面六角形状であり、前記第１側板及び前記第２側板と平行な方向に対向する前記角筒状部の稜部に形成される第１係止部を有し、前記第１弾性部材は、前記第１係止部に架け渡されることで前記角筒状部を前記稜部が近接する方向に付勢することを特徴としている。
【００１０】
また本発明は、上記構成の自立型広告表示体において、前記底面板は、前記第１折り線と交差するように形成された一対のフラップと、該一対のフラップにそれぞれ形成され、前記第２弾性部材が架け渡される一対の第２係止部と、を有し、前記第２弾性部材は、前記各フラップが前記底面板から起立するとともに前記底面板が平板状に伸長する方向に付勢力を作用させ、前記底面板が前記第１折り線に沿って二つ折りにされたとき、前記各フラップの倒伏によって前記第２弾性部材が伸長されて付勢力が蓄積されることを特徴としている。
【００１１】
また本発明は、上記構成の自立型広告表示体において、前記天面部は、前記第２折り線と交差する方向に前記第３弾性部材が架け渡される一対の第３係止部が形成された前記天面板と、該天面板の裏面に前記第２折り線を挟んで一方の領域に重なる部分のみが固定され、前記第２折り線を挟んで他方の領域に突出する補助板と、を有し、前記第３弾性部材は、前記天面板が前記第２折り線に沿って裏面側に折れ曲がる方向に付勢力を作用させることで前記天面板が前記補助板に沿って平板状に保持されるとともに、前記天面板が前記第２折り線に沿って裏面側に二つ折りにされたとき、前記補助板の回動によって前記第３弾性部材が伸長されて付勢力が蓄積されることを特徴としている。
【００１２】
また本発明は、上記構成の自立型広告表示体において、前記筒状体の上下方向の略中央部には前記筒状体を全周に亘って横断する第３折り線が形成されており、前記保持部材は前記第３折り線の直近であって前記第３折り線と重ならない位置に固定されることを特徴としている。
【００１３】
また本発明は、上記構成の自立型広告表示体において、前記底面板は、前記第２の状態において前記筒状体の周方向外側に鍔状に突出することを特徴としている。
【００１４】
また本発明は、上記構成の自立型広告表示体において、前記筒状体は、前記筒状体の下半分を構成する下側板と、該下側板の上端縁に接着される上側板と、前記下側板及び前記上側板の側端縁に折り線を介して連設される接着片と、を有する同一形状の前記第１側板及び前記第２側板を組み合わせて形成されることを特徴としている。
【００１５】
また本発明は、対向配置される第１側板と第２側板の側端部が連結された筒状体と、該筒状体の内側に対向する二面が橋渡し状に固定される断面六角形状の伸縮可能な角筒状部と、該角筒状部の前記第１側板及び前記第２側板と平行方向に対向する稜部に形成された一対の第１係止部と、該第１係止部に架け渡され前記稜部が近接する方向に付勢する第１弾性部材と、を有する保持部材と、前記筒状体の下端部において前記第１側板及び前記第２側板に橋渡し状に固定され、中央に前記第１側板及び前記第２側板に平行な第１折り線が形成された底面板と、該底面板の前記第１折り線と交差する方向に形成された一対のフラップと、該一対のフラップにそれぞれ形成され、前記第２弾性部材が架け渡される一対の第２係止部と、該第２係止部に架け渡され前記底面板が平板状に伸長する方向に付勢する第２弾性部材と、を有する底面部と、前記筒状体の上端部において前記第１側板及び前記第２側板に橋渡し状に固定され、中央に前記第１側板及び前記第２側板に平行な第２折り線と、該第２折り線と交差する方向に形成された一対の第３係止部と、が形成された天面板と、該天面板の裏面に前記第２折り線を挟んで一方の領域に重なる部分のみが固定され、前記第２折り線を挟んで他方の領域に突出する補助板と、前記第３係止部に架け渡され前記天面板が前記補助板に沿って平板状に伸長する方向に付勢する第３弾性部材と、を有する天面部と、を備え、前記第１側板及び前記第２側板を外側から押圧することにより前記角筒状部が前記第１弾性部材の付勢力に抗して変形し、前記筒状体が前記保持部材と共に平坦状に折り畳まれ、前記底面板及び前記天面板が前記第１折り線及び前記第２折り線に沿って二つ折りとなる第１の状態と、前記第１弾性部材の付勢力によって前記角筒状部の前記稜部が近接して前記保持部材の形状が復元し、前記第１側板及び前記第２側板が内側から押圧されることにより前記筒状体の略中央部が断面凸レンズ状に展長され、前記第２及び第３弾性部材の付勢力によって前記底面板及び前記天面板が平板状に展開されることにより前記筒状体の両端部が断面凸レンズ状に展長される第２の状態と、に変形可能であり、前記第１の状態に保持する外力を除去したとき、前記第１乃至第３弾性部材の付勢力によって前記第２の状態に変形する自立型広告表示体である。
【発明の効果】
【００１６】
本発明の第１の構成によれば、広告表示体は、筒状体が保持部材と共に平坦状に折り畳まれ、底面板及び天面板が折り線に沿って二つ折りとなる第１の状態と、保持部材の復元によって第１側板及び第２側板が内側から押圧されることにより筒状体の略中央部が断面凸レンズ状に展長され、第２及び第３弾性部材の付勢力によって底面板及び天面板が平坦状に展開されることにより筒状体の両端部が断面凸レンズ状に展長される第２の状態と、に変形可能であり、第１の状態に保持する外力を除去したとき、弾性部材の付勢力によって第２の状態に変形する。従って、広告表示体をコンパクトに折り畳んだ第１の状態で設置場所へ搬入可能であり、組み立て前の保管スペースも小さくなる。また、第１の状態に保持している外力を除去するだけで広告表示体が第２の状態となるため、広告表示体の設置作業も容易となる。さらに、筒状体の長手方向中央部、下端部、及び上端部が、それぞれ保持部材、底面部、天面部によって断面凸レンズ状に展長されるため、筒状体の長手方向の寸法が長い場合であっても、上端部から下端部に亘って均一に、且つ安定して拡張することができる。
【００１７】
また、本発明の第２の構成によれば、上記第１の構成の広告表示体において、角筒状部を、対向する二面が第１側板及び第２側板の内側に固定される断面六角形状とし、第１側板及び第２側板と平行な方向に対向する角筒状部の稜部に第１係止部を形成し、第１弾性部材を第１係止部に架け渡すことで角筒状部を稜部が近接する方向に付勢することにより、簡単な構成で筒状体と共に折り畳むことができ、且つ第１弾性部材の付勢力によって断面六角形状に容易に復元可能な保持部材を備えた広告表示体となる。
【００１８】
また、本発明の第３の構成によれば、上記第１又は第２の構成の広告表示体において、底面板に、第１折り線と交差するように一対のフラップを形成し、一対のフラップそれぞれに第２弾性部材が架け渡される一対の第２係止部を形成し、第２弾性部材は、各フラップが底面板から起立するとともに底面板が平板状に伸長する方向に付勢力を作用させ、底面板が第１折り線に沿って二つ折りにされたとき、各フラップの倒伏によって第２弾性部材が伸長されて付勢力が蓄積されることにより、底面板を二つ折りにした状態で、底面板を平板状に伸長させる方向の付勢力を容易に蓄積できる底面部となる。
【００１９】
また、本発明の第４の構成によれば、上記第１乃至第３のいずれかの構成の広告表示体において、天面板には、第２折り線と交差する方向に第３弾性部材が架け渡される一対の第３係止部を形成し、天面板の裏面には、第２折り線を挟んで他方の領域に突出する補助板を、第２折り線を挟んで一方の領域に重なる部分のみに固定し、第３弾性部材は、天面板が第２折り線に沿って裏面側に折れ曲がる方向に付勢力を作用させることで天面板が補助板に沿って平板状に保持されるとともに、天面板が第２折り線に沿って裏面側に二つ折りにされたとき、補助板の回動によって第３弾性部材が伸長されて付勢力が蓄積されることにより、天面板を二つ折りにした状態で、天面板を平板状に伸長させる方向の付勢力を容易に蓄積できる天面部となる。
【００２０】
また、本発明の第５の構成によれば、上記第１乃至第４のいずれかの構成の広告表示体において、筒状体の上下方向の略中央部には筒状体を全周に亘って横断する第３折り線が形成されており、保持部材は第３折り線の直近であって第３折り線と重ならない位置に固定されることにより、長手方向の寸法が長い大型の筒状体であっても第３折り線に沿って二つ折りにできるため、広告表示体をコンパクトに折り畳まれた第１の状態とすることができる。また、筒状体の内部に固定された保持部材が二つ折りにする際に障害となることがなく、スムーズな折り畳みが可能となる。
【００２１】
また、本発明の第６の構成によれば、上記第１乃至第５のいずれかの構成の広告表示体において、底面板は、第２の状態において筒状体の周方向外側に鍔状に突出することにより、第２の状態に組み立てられたとき底面板が筒状体を安定して支持することができる自立型の広告表示体となる。
【００２２】
また、本発明の第７の構成によれば、上記第１乃至第６のいずれかの構成の広告表示体において、筒状体は、筒状体の下半分を構成する下側板と、該下側板の上端縁に接着される上側板と、下側板及び上側板の側端縁に折り線を介して連設される接着片と、を有する同一形状の第１側板及び第２側板を組み合わせて形成されることにより、印刷や裁断の制約を受ける大型の広告表示体も製造可能となる。また、同一形状の下側板及び上側板から成る同一形状の第１側板及び第２側板を用いることで、下側板及び上側板の組み合わせや第１側板及び第２側板の組み合わせを誤るおそれがなくなり、筒状体の製造や部材管理も簡素化できる。
【００２３】
また、本発明の第８の構成によれば、第１側板及び第２側板を外側から押圧することにより角筒状部が第１弾性部材の付勢力に抗して変形し、筒状体が保持部材と共に平坦状に折り畳まれ、底面板及び天面板が第１折り線及び第２折り線に沿って二つ折りとなる第１の状態と、第１弾性部材の付勢力によって角筒状部の稜部が近接して保持部材の形状が復元し、第１側板及び第２側板が内側から押圧されることにより筒状体の略中央部が断面凸レンズ状に展長され、第２及び第３弾性部材の付勢力によって底面板及び天面板が平板状に展開されることにより筒状体の両端部が断面凸レンズ状に展長される第２の状態と、に変形可能となるため、第１の状態に保持する外力を除去するだけで、第１〜第３弾性部材の付勢力によって簡単に第２の状態に変形する広告表示体となり、設置場所において広告表示体を簡単に組み立てることができ、組み立てた後の広告表示体の形状も安定する。また、広告表示体はコンパクトに折り畳んだ第１の状態で設置場所に搬入されるため、搬入作業も容易となり、組み立て前の保管スペースも小さくなる。また、底面板を二つ折りにしたとき、底面板に形成されたフラップにより第２弾性部材に付勢力が蓄積され、天面板を二つ折りにしたとき、天面板に固定された補助板により第３弾性部材に付勢力が蓄積されるため、底面板及び天面板を平板状に伸長させる方向の付勢力を容易に蓄積できる底面部及び天面部を備えた広告表示体となる。
【図面の簡単な説明】
【００２４】
【図１】本発明の一実施形態に係る広告表示体１００の筒状体３０を構成する第１側板１ａ、第２側板１ｂの展開図
【図２】本実施形態の広告表示体１００の保持部材４０を構成する角筒状部７の展開図
【図３】広告表示体１００の底面部５０を構成する底面板１０の平面図
【図４】本実施形態の広告表示体１００の天面部６０を構成する天面板２０の平面図
【図５】本実施形態の広告表示体１００の天面部６０を構成する補助板２５の平面図
【図６】角筒状部７を折り線Ｌ３〜Ｌ８に沿って折り曲げ、接着片８を角筒形成板７ｆに貼り合わせて角筒状部７を形成した状態を示す斜視図
【図７】図６に示した角筒状部７に輪ゴム３１を架け渡して保持部材４０を組み立てた状態を示す図
【図８】筒状体３０の下半分を構成する一対の下側板２ａを筒状に貼り合わせて保持部材４０を取り付けた状態を示す図
【図９】保持部材４０を取り付けた筒状の下側板２ａを上方から見た平面図
【図１０】図８の下側板２ａに上側板２ｂを貼り合わせて筒状体３０を組み立てた状態を示す図
【図１１】図３に示した底面板１０に輪ゴム３３を架け渡して底面部５０を組み立てた状態を示す図
【図１２】組み立てられた底面部５０を図１１の矢印Ａ方向から見た側面図
【図１３】図４に示した天面板２０に図４に示した補助板２５を貼り合わせ、輪ゴム３５を架け渡して天面部６０を組み立てた状態を表面側から見た図
【図１４】図１３の天面部６０を裏面側から見た図
【図１５】筒状体３０の下端部に底面部５０を取り付けた状態を示す側面断面図
【図１６】筒状体３０の上端部に天面部６０を取り付けた状態を示す側面断面図
【図１７】本実施形態の広告表示体１００を組み立てた状態（第２の状態）を示す斜視図
【図１８】本実施形態の広告表示体１００を第２の状態から平坦に折り畳んだ第１の状態を示す斜視図
【図１９】広告表示体１００の天面部６０が折り畳まれる様子を示す側面図
【図２０】図１８の状態から筒状体を二つ折りにして折り畳んだ状態を示す本実施形態の広告表示体１００の平面図
【発明を実施するための形態】
【００２５】
以下、図面を参照しながら本発明の実施形態について説明する。なお、以下に示す各図面においては、折り線を点線、切り込み線を実線で示すものとする。図１は、本発明の一実施形態に係る広告表示体１００の筒状体３０（図１０参照）を構成する第１側板１ａ、第２側板１ｂの展開図、図２は、広告表示体１００の保持部材４０（図７参照）を構成する角筒状部７の展開図、図３は、広告表示体１００の底面部５０（図１１参照）を構成する底面板１０の平面図、図４は、広告表示体１００の天面部６０（図１３参照）を構成する天面板２０の平面図、図５は、広告表示体１００の天面部６０を構成する補助板２５の平面図である。
【００２６】
第１側板１ａ、第２側板１ｂ、角筒状部７、天面板２０は、カード紙を所定の形状に打ち抜いて形成されており、底面板１０、補助板２５は、厚紙（３枚合紙）を所定の形状に打ち抜いて形成されている。なお、第２側板１ｂは第１側板１ａと全く同一の形状であるため、ここでは第１側板１ａの構成についてのみ説明する。
【００２７】
図１に示すように、第１側板１ａは、筒状体３０（図１０参照）の下半分を構成する矩形状の下側板２ａと、筒状体３０の上半分を構成する矩形状の上側板２ｂとで構成される。下側板２ａの上端縁には、上側板２ｂの下端縁に接着される接着片３ａが折り線Ｌ１を介して連設されている。折り線Ｌ１は、組み立て後の筒状体３０を長手方向に二つ折りにするためのものであり、筒状体３０の折り曲げが容易となるように平行な二本の押し罫で構成されている。
【００２８】
下側板２ａ、上側板２ｂの一方の側端縁には、第２側板１ｂの側端縁に接着される接着片３ｂが折り線Ｌ２を介して連設されている。また、下側板２ａの下端縁には、底面板１０の差し込み孔１７（図３参照）に挿入される差し込み片５が連設されている。第１側板１ａ、第２側板１ｂは、断面凸レンズ状の筒状体３０の正面または背面を構成する。
【００２９】
図２に示すように、角筒状部７は、折り線Ｌ３〜Ｌ７を介して連設される矩形状の角筒形成板７ａ〜７ｆと、角筒形成板７ａの側端縁に折り線Ｌ８を介して連設される接着片８とを有する。角筒形成板７ａ、７ｂ、７ｄ、及び７ｅの幅方向（図２の左右方向）の寸法は同一である。また、角筒形成板７ｃと７ｆの幅方向の寸法は、角筒形成板７ａ、７ｂ、７ｄ、７ｅよりも狭い同一の寸法である。角筒形成板７ａ、７ｂの境界部分、及び角筒形成板７ｄ、７ｅの境界部分には、折り線Ｌ３、Ｌ６を跨ぐように略Ｔ字状の第１係止部９が形成されている。
【００３０】
図３に示すように、底面板１０は平面視円板状であり、円板の中心を通る折り線Ｌ９が形成されており、底面板１０は折り線Ｌ９に沿って二つ折りできるようになっている。また、折り線Ｌ９を跨ぐように、一対の半円形状の開口部１１が設けられており、各開口部１１に隣接して一対のフラップ１３が設けられている。各フラップ１３には、開口部１１に連通する一対の第２係止部１５が形成されている。また、折り線Ｌ９を挟んで底面板１０の両側には、筒状体を構成する下側板２ａの差し込み片５（図１参照）が挿入されるスリット状の差し込み孔１７が折り線Ｌ９と平行に形成されている。
【００３１】
図４に示すように、天面板２０は、平面視凸レンズ状であり、天面板２０の対向する二辺（長辺）には折り線を介して一対の接着片２１が連設されている。各接着片２１の基端部には、一対の第３係止部２３が形成されている。また、凸レンズ状の天面板２０の頂点を結ぶ折り線Ｌ１０が形成されており、天面板２０は折り線Ｌ１０に沿って二つ折りできるようになっている。
【００３２】
図５に示すように、補助板２５は、天面板２０よりも若干小さい凸レンズ状である。補助板２５の対向する二辺（長辺）の一方には、コ字状の切り欠き部２５ａが長手方向の略中央部に形成されている。
【００３３】
次に、本実施形態の広告表示体１００の組み立て手順について説明する。先ず、図２に示した角筒状部７を折り線Ｌ３〜Ｌ８に沿って筒状に折り曲げ、接着片８を角筒形成板７ｆの裏面に接着する。これにより、図６に示すような断面六角形状の角筒状部７が形成される。次に、角筒状部７の第１係止部９に輪ゴム（第１弾性部材）３１を架け渡すことにより、図７に示すような保持部材４０が組み立てられる。輪ゴム３１は、角筒状部７の角筒形成板７ｃ、７ｆと平行方向（図７の左右方向）に対向する稜部７ｇ、７ｈが近接する方向に付勢する。これにより、角筒形成板７ａと７ｅ、角筒形成板７ｂと７ｄがそれぞれ接近して角筒状部７の立体形状が断面六角形状に保持される。
【００３４】
次に、図１に示した下側板２ａを２枚準備し、一方の下側板２ａの接着片３ｂを、他方の下側板２ａの側端縁に沿って接着する。同様に、他方の下側板２ｂの接着片３ｂを一方の下側板２ａの側端縁に沿って裏面側から接着する。これにより、筒状体３０の下半分が組み立てられる。そして、図８に示すように、保持部材４０の角筒形成板７ｃ、７ｆを、対向する下側板２ａの裏面側の幅方向中央部であって折り線Ｌ１の下方直近に設けられた接着位置に接着する。
【００３５】
保持部材４０は、輪ゴム３１によって稜部７ｇ、７ｈが近接する方向（角筒形成板７ｃ、７ｆが離間する方向）に付勢されている。そのため、図９に示すように、２枚の下側板２ａには幅方向中央部を内側から押し広げる方向の力が作用する。その結果、対向する下側板２ａの立体形状が断面凸レンズ状に保持される。
【００３６】
また、図１に示した上側板２ｂも２枚準備し、下側板２ａと同様の手順で組み立てることにより、筒状体３０の上半分が組み立てられる。そして、保持部材４０が接着固定された下側板１ａの接着片３ａを上側板２ｂの下端縁に沿って裏面側から接着する。これにより、図１０に示すような筒状体３０が組み立てられる。
【００３７】
次に、図３に示した底面板１０のフラップ１３に形成された第２係止部１５に輪ゴム（第２弾性部材）３３を架け渡すことにより、図１１に示すような底面部５０が組み立てられる。輪ゴム３３が架け渡された底面部５０を折り線Ｌ９と平行な方向（図１１の矢印Ａ方向）から見ると、図１２に示すように、輪ゴム３３の付勢力によってフラップ１３が起立した状態となる。フラップ１３の折り曲げ部が折り線Ｌ９と垂直に交差しているため、底面板１０は折り線Ｌ９に沿って折れ曲がり難くなり、フラットな状態に保持される。
【００３８】
また、図４に示した天面板２０の裏面側に、図５に示した補助板２５を貼り合わせた状態で、天面板２０の第３係止部に輪ゴム（第３弾性部材）３５を架け渡すことにより、図１３、図１４に示すような天面部６０が組み立てられる。図１３及び図１４は、それぞれ天面部６０を表面側及び裏面側から見た平面図である。
【００３９】
図１４に示すように、補助板２５は、天面板２０の折り線Ｌ１０を挟んで切り欠き部２５ａの形成されていない側（図１４のハッチング領域）のみが天面板２０の裏面に接着され、切り欠き部２５ａの形成されている側が折り線１０を挟んで他方の領域に突出している。輪ゴム３５は、天面板２０が折り線Ｌ１０に沿って裏面側に折れ曲がる方向の付勢力を作用させるが、天面板２０の裏面には折り線Ｌ１０を跨ぐように補助板２５が接着されているため、天面板２０は補助板２５に沿ってフラットな状態に保持される。
【００４０】
次いで、筒状体３０をフラップ１３が起立した方向から底面部５０に被せる。そして、図１５に示すように、筒状体３０の下端部に形成された差し込み片５を、底面板１０の差し込み孔１７に差し込み、底面板１０の裏面側に折り返して接着する。
【００４１】
最後に、図１６に示すように、筒状体３０の上端部から天面部６０を挿入し、天面板２０の接着片２１を、筒状体３０（上側板２ｂ）の裏面側の幅方向中央部であって上端部の直近に設けられた接着位置に接着する。
【００４２】
これにより、筒状体３０の長手方向（上下方向）中央部は保持部材４０により、筒状体３０の下端部は底面部５０により、筒状体３０の上端部は天面部６０により、それぞれ断面凸レンズ状に展長され、図１７に示したような広告表示体１００の組み立てが完了する。接着片８と角筒形成板７ｆの接着、保持部材４０と下側板２ａの接着、接着片３ａと上側板２ｂの接着、天面板２０と補助板２５の接着、差し込み片５と底面板１０の接着、及び、接着片２１と上側板２ｂの接着にはホットメルト接着剤等が用いられる。
【００４３】
図１７のように組み立てられた広告表示体１００は、筒状体３０を正面側及び背面側（図１７に矢印で示す第１側板１ａ、第２側板１ｂの対向する方向）から押圧することで、図１８に示すように、内部に収納された保持部材４０の輪ゴム３１が付勢力に抗して引き伸ばされ、筒状体３０が保持部材４０と共に平坦に折り畳まれる。
【００４４】
また、筒状体３０の下端部に取り付けられた底面部５０を折り線Ｌ９に沿って外向き（山折り）に折り曲げていくと、筒状体３０の内部側に起立していたフラップ１３が徐々に倒伏し、底面板１０と面一になって二つ折りに折り曲げられる。このとき、輪ゴム３３は各フラップ１３が離間する方向に倒伏する分だけ引き伸ばされるため、輪ゴム３３には付勢力が蓄積される。
【００４５】
また、筒状体３０の上端部に取り付けられた天面部６０を折り線Ｌ１０に沿って内向き（谷折り）に折り曲げていくと、図１９に示すように、天面板２０の折り線Ｌ１０を挟んで一方側（補助板２５の接着されている側、図１９の左側）は補助板２５と共に折り曲げられ、折り線Ｌ１０を挟んで他方側（補助板２５の接着されていない側、図１９の右側）は補助板２５と徐々に離間する。このとき、天面板２０に架け渡された輪ゴム３５は、天面板２０の折り曲げによって補助板２５の切り欠き部２５ａに接触するが、切り欠き部２５ａは折り線Ｌ１０から距離ｄ（図１３参照）だけ突出している。その結果、補助板２５の回動によって輪ゴム３５を引き伸ばしながら天面板２０が二つ折りに折り曲げられるため、輪ゴム３５には付勢力が蓄積される。以上のようにして、広告表示体１００は図１８に示すように全体が平坦に折り畳まれた状態（第１の状態）となる。
【００４６】
そして、図１８の状態から筒状体３０を折り線Ｌ１に沿って折り返すことで、図２０に示すように、広告表示体１００全体がさらに半分に折り畳まれた状態となる。図２０のように折り畳まれた広告表示体１００は、結束バンド等で結束するか、或いは外装袋に挿入されることで第１の状態のまま設置場所へ搬入される。
【００４７】
図２０に示した状態で設置場所へ搬入された広告表示体１００は、折り返されていた筒状体３０を折り線Ｌ１に沿って起こすとともに、筒状体３０を平坦に保持していた外力を除去する。これにより、外力によって伸長していた保持部材４０の輪ゴム３１が収縮し、保持部材４０が立体形状に復元する。また、外力によって伸長していた底面部５０の輪ゴム３３、天面部６０の輪ゴム３５も収縮し、二つ折りになっていた底面板１０及び天面板２０も平板状に展開される。その結果、筒状体３０が断面凸レンズ状に復元し、広告表示体１００が図１７に示した状態（第２の状態）に組み立てられる。
【００４８】
本実施形態の広告表示体１００は、コンパクトに折り畳んだ状態で設置場所への搬入が可能であり、保管スペースも小さくなる。また、筒状体３０、底面部５０、天面部６０を押圧していた外力を除去するだけで、輪ゴム３１、３３、３５の付勢力によって第２の状態に変形するため、広告表示体１００の設置作業も容易となる。
【００４９】
また、筒状体３０の長手方向中央部、下端部、及び上端部が、それぞれ保持部材４０、底面部５０、天面部６０によって断面凸レンズ状に展長されるため、筒状体３０の長手方向の寸法が長い場合であっても、上端部から下端部に亘って均一に、且つ安定して拡張することができる。
【００５０】
その他本発明は、上記実施形態に限定されず、本発明の趣旨を逸脱しない範囲で種々の変更が可能である。例えば、上記実施形態では広告表示体１００を構成する筒状体３０、角筒状部７、天面板２０をカード紙で形成し、底面板１０、補助板２５を３枚合紙で形成したが、厚紙やカード紙に限らず、段ボールシート等の他の厚紙や樹脂シート等のシート材を用いて形成することもできる。また、輪ゴム３１、３３、３５に代えて、ゴム紐やコイルバネ等の他の弾性部材を用いることもできる。
【００５１】
また、上記実施形態では、下側板２ａ、上側板２ｂを組み合わせて第１側板１ａ、第２側板１ｂを形成しているが、第１側板１ａ、第２側板１ｂを連続した一枚のシートとしても良い。但し、広告表示体１００を構成する筒状体３０が大型である場合、筒状体３０を組み立てる前の第１側板１ａ、第２側板１ｂも大型になるため、印刷機や裁断機の制約を受けやすくなる。そこで、下側板２ａ、上側板２ｂを組み合わせて第１側板１ａ、第２側板１ｂを形成することで、第１側板１ａ、第２側板１ｂを一枚のシートとする場合の半分の大きさとなるため、印刷や裁断の制約を受けることなく大型の広告表示体１００も製造可能となる。
【００５２】
このとき、同一形状の下側板２ａ、上側板２ｂを二枚組み合わせて同一形状の第１側板１ａ、第２側板１ｂを形成し、同一形状の第１側板１ａ、第２側板１ｂを組み合わせて筒状体３０を形成することで、下側板２ａ、上側板２ｂの組み合わせや第１側板１ａ、第２側板１ｂの組み合わせを誤るおそれがなくなり、下側板２ａ、上側板２ｂ、第１側板１ａ、第２側板１ｂの製造や部材管理も簡素化できる。
【００５３】
また、筒状体３０の形状や大きさについても特に制限はなく、設置場所やデザイン性に応じて適宜変更することができる。また、折り線Ｌ１は必須の構成要素ではなく、筒状体３０が二つ折りの必要な長さである場合に適宜用いることができる。
【産業上の利用可能性】
【００５４】
本発明は、折り畳んだ状態で搬入され、設置場所で立体形状に組み立てられる自立型広告表示体に利用可能である。本発明の利用により、コンパクトに折り畳んだ状態での搬入や容易且つ迅速な組み立てが可能で、組み立て後の形態も安定したものとなる、構成が簡単で低コストな自立型広告表示体を提供することができる。
【符号の説明】
【００５５】
１ａ              第１側板
１ｂ              第２側板
２ａ              下側板
２ｂ              上側板
３ａ、３ｂ        接着片（上側板）
５                差し込み片
７                角筒状部
７ａ〜７ｆ        角筒形成板
７ｇ、７ｈ        稜部
９                第１係止部
１０              底面板
１３              フラップ
１５              第２係止部
１７              差し込み孔
２０              天面板
２１              接着片（天面板）
２３              第３係止部
２５              補助板
３０              筒状体
３１              輪ゴム（第１弾性部材）
３３              輪ゴム（第２弾性部材）
３５              輪ゴム（第３弾性部材）
４０              保持部材
５０              底面部
６０              天面部
１００            広告表示体
Ｌ１              折り線（第３折り線）
Ｌ９              折り線（第１折り線）
Ｌ１０            折り線（第２折り線）
【図１】
2015145942.tif 000003
【図２】
2015145942.tif 000004
【図３】
2015145942.tif 000005
【図４】
2015145942.tif 000006
【図５】
2015145942.tif 000007
【図６】
2015145942.tif 000008
【図７】
2015145942.tif 000009
【図８】
2015145942.tif 000010
【図９】
2015145942.tif 000011
【図１０】
2015145942.tif 000012
【図１１】
2015145942.tif 000013
【図１２】
2015145942.tif 000014
【図１３】
2015145942.tif 000015
【図１４】
2015145942.tif 000016
【図１５】
2015145942.tif 000017
【図１６】
2015145942.tif 000018
【図１７】
2015145942.tif 000019
【図１８】
2015145942.tif 000020
【図１９】
2015145942.tif 000021
【図２０】
2015145942.tif 000022